【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
上部に開口部を形成する有底筒状の下地側支持部材に、その底部に取付下地への固定部を備え、
前記開口部を上方から覆う蓋部材を設け、
前記開口部の外周側に形成される前記下地側支持部材の第１周壁部に対し、その外側を囲繞する第２周壁部を前記蓋部材に設け、
前記第１周壁部と前記第２周壁部とに互いに連結自在な第１連結部を設け、
下地側支持部材に対する第２連結部を備えた設置物支持部材を設け、
設置物に対する連結用ボルトの頭部を係入自在なボルト挿通部を前記設置物支持部材に設け、
前記ボルト挿通部の下側でそのボルト挿通部を通して侵入する雨水を受けて前記蓋部材の横外方に排出する雨水誘導ガイド部を、前記蓋部材に形成してある設置物固定具。
【請求項２】
前記設置物支持部材を前記下地側支持部材に対して上下位置変更自在に連結する上下位置変更機構を、前記第２連結部に設けてある請求項１に記載の設置物固定具。
【請求項３】
前記設置物支持部材を、前記ボルト挿通部を備えた設置物連結部材と前記第２連結部を備えた支持連結部材とに分割構成すると共に、前記設置物連結部材と前記支持連結部材とを互いに連結自在にする第３連結部を設け、
前記設置物連結部材を前記支持連結部材に対して横方向に変位自在にする横変位機構を前記第３連結部に設けてある請求項１または２に記載の設置物固定具。
【手続補正２】
【補正対象書類名】明細書
【補正対象項目名】全文
【補正方法】変更
【補正の内容】
【発明の詳細な説明】
【発明の名称】設置物固定具
【技術分野】
【０００１】
本発明は、設備機器などの設置物を、例えば建物のコンクリート床等に設置して固定するための設置物固定具に関する。
【背景技術】
【０００２】
従来、前記設置物固定具は、図１３に示すように、上部に開口部４を形成する有底筒状の下地側支持部材５に、横外側に延出するフランジ部１０を設けると共に、底部に取付下地２への固定部１２を備え、前記開口部４及び前記フランジ部１０を上方から覆う蓋状の設置物支持部材９を設け、固定部１２に取付下地２に固定したアンカーボルト８を挿通させてナットＮで固定操作を行うための作業孔２２を、下地側支持部材５の横外側に設け、フランジ部１０と設置物支持部材９の上面に、それらを連結するためのボルトの第２挿通孔２４を設けると共に、設置物支持部材９の上面に設置物３を固定するためのボルト挿通部１７を設けてあった（例えば、特許文献１参照）。
【先行技術文献】
【特許文献】
【０００３】
【特許文献１】特開２００９−１６７７５４号公報
【発明の概要】
【発明が解決しようとする課題】
【０００４】
上述した従来の前記設置物固定具は、前記下地側支持部材５の横外側に形成した大きな作業孔２２からの雨水の浸入の虞や、設置物支持部材９の上面に形成した第２挿通孔２４、及び、ボルト挿通部１７から下地側支持部材５内への雨水の侵入の虞があり、下地側支持部材５内へ雨水が侵入すると、固定部１２を通して取付下地２に水が侵入して、建物内への漏水の原因になる危険性があり、厳重にシールする防水構造を考えなければならなかった。
【０００５】
従って、本発明の目的は、上記問題点を解消し、下地側支持部材内への雨水の浸入を防止し易い設置物固定具を提供するところにある。
【課題を解決するための手段】
【０００６】
本発明の第１の特徴構成は、上部に開口部を形成する有底筒状の下地側支持部材に、その底部に取付下地への固定部を備え、前記開口部を上方から覆う蓋部材を設け、前記開口部の外周側に形成される前記下地側支持部材の第１周壁部に対し、その外側を囲繞する第２周壁部を前記蓋部材に設け、前記第１周壁部と前記第２周壁部とに互いに連結自在な第１連結部を設け、下地側支持部材に対する第２連結部を備えた設置物支持部材を設け、設置物に対する連結用ボルトの頭部を係入自在なボルト挿通部を前記設置物支持部材に設け、前記ボルト挿通部の下側でそのボルト挿通部を通して侵入する雨水を受けて前記蓋部材の横外方に排出する雨水誘導ガイド部を、前記蓋部材に形成してあるところにある。
【０００７】
本発明の第１の特徴構成によれば、固定部にアンカーボルトなどを介して取付下地に固定する作業を、下地側支持部材を上部の開口部を通して行った後には、開口部を蓋部材により覆わせることにより、開口部は閉じられる。
前記開口部の外周側に形成される前記下地側支持部材の第１周壁部に対し、その外側を囲繞する第２周壁部を前記蓋部材に設け、前記第１周壁部と前記第２周壁部とに互いに連結自在な第１連結部を設け、下地側支持部材に対する第２連結部を備えた設置物支持部材を設け、設置物に対する連結用ボルトの頭部を係入自在なボルト挿通部を前記設置物支持部材に設けることにより、蓋部材は第１連結部を介して下地側支持部材に固定され、また、ボルト挿通部と連結用ボルトを介して設置物を簡単に連結した設置物支持部材は、第２連結部により下地側支持部材に固定される。
そこで、前記ボルト挿通部の下側でそのボルト挿通部を通して浸入する雨水を受けて前記蓋部材の横外方に排出する雨水誘導ガイド部を、前記蓋部材に形成してあることにより、連結用ボルトを挿通させて設置物を連結固定するボルト挿通部より雨水が浸入しても、蓋部材の雨水誘導ガイド部が、その雨水を受けて横外方に確実に排出するために、下地側支持部材内には浸入することはない。
結局、建物内への漏水の原因をなくすことができるようになった。
【０００８】
本発明の第２の特徴構成は、前記設置物支持部材を前記下地側支持部材に対して上下位置変更自在に連結する上下位置変更機構を、前記第２連結部に設けてあるところにある。
【０００９】
本発明の第２の特徴構成によれば、例えば下地に水勾配等の傾斜があったり、凹凸等の高低差があって、併設する複数の設置物固定具間で高さが異なっても、上下位置変更機構により下地側支持部材に対して設置物支持部材の上下連結位置を変更調整して、設置物支持部材に取り付ける設置物の上下位置や設置姿勢を微調整でき、常に良好な状態に設置物を設置できる。
【００１０】
本発明の第３の特徴構成は、前記設置物支持部材を、前記ボルト挿通部を備えた設置物連結部材と前記第２連結部を備えた支持連結部材とに分割構成すると共に、前記設置物連結部材と前記支持連結部材とを互いに連結自在にする第３連結部を設け、前記設置物連結部材を前記支持連結部材に対して横方向に変位自在にする横変位機構を前記第３連結部に設けてあるところにある。
【００１１】
本発明の第３の特徴構成によれば、例えば、複数の設置物固定具で設置物を支持して固定する場合に、隣接する設置物固定具間で、設置物に対する連結部同士の距離が、多少変位しても、第３連結部に設けた横変位機構により、下地側支持部材に連結固定される支持連結部材に対して、ボルト挿通部を備えた設置物連結部材を横方向に相対移動させて微調整して、第３連結部で連結できる。
従って、設置物を複数の設置物固定具により容易に安定固定できる。
【図面の簡単な説明】
【００１２】
【図１】設置状態を示す全体図である。
【図２】分解斜視図である。
【図３】組み立て状態の全体斜視図である。
【図４】設置物連結部材を下から見た斜視図である。
【図５】要部断面図である。
【図６】要部縦断側面図である。
【図７】別実施形態の下地側支持部材の分解斜視図である。
【図８】（ａ）は別実施形態の下地側支持部材の分解斜視図で、（ｂ）は要部縦断面図である。
【図９】別実施形態の分解斜視図である。
【図１０】別実施形態の組み立て状態を示す斜視図である。
【図１１】（ａ）、（ｂ）、（ｃ）は夫々別実施形態の要部分解斜視図である。
【図１２】別実施形態の要部縦断面図である。
【図１３】従来例の縦断面図である。
【発明を実施するための形態】
【００１３】
以下に本発明の実施の形態を、図１〜図６に基づいて説明する。
図１に示すように、本発明の設置物固定具の一実施形態品（以後、単に固定台１という）を使用して、屋上のコンクリート床やベランダ等の建築物（取付下地２の一例）の上に、アンテナの支柱等の設置物３を固定してある状況を示している。
【００１４】
前記コンクリート床２の上には、防水シート６が敷設してある。
当該実施形態においては、コンクリート床２の全域に防水シート６が敷設してある状態で、その上に、金属製の当該固定台１を設置して、設置物３を固定台１に固定してある例を示している。従って、固定台１を設置した後、その周囲に、図６に示すように、防水シート６と固定台１の外周部にわたる状態に立上り防水層７を設置し、その上端部をバンド２９で縛ると共に、シール剤３０を塗布して雨水の浸入を防止し、固定台設置部分から下方への漏水防止を図っている。
コンクリート床２における固定台設置箇所には、予め、アンカーボルト８が設置してあり、このアンカーボルト８に固定台１が固定されている。
【００１５】
前記固定台１は、上部に開口部４を形成する有底筒状の下地側支持部材５と、開口部４を上から覆う蓋部材１３と、その蓋部材１３に連結する設置物支持部材９とから構成してある。
前記下地側支持部材５の有底筒状の底部には、取付下地２に取り付けたアンカーボルト８を挿通する第１挿通孔１１を形成して、取付下地２に対する固定部１２を構成してある。
尚、下地側支持部材５の底部には、径方向外方に延設する鍔状設置部１４を形成してあり、この鍔状設置部１４にもボルト挿通孔１５を周方向に複数設けて、取付下地２に固定できるように構成してある。
【００１６】
前記開口部４の外周側に形成される前記下地側支持部材５の第１周壁部１８に対し、その外側を囲繞する第２周壁部１９を蓋部材１３に設け、第１周壁部１８と第２周壁部１９とに互いに連結自在な第１連結部２０を設け、第２周壁部１９に対する第２連結部２１を備えた設置物支持部材９を設け、設置物３に対する連結用ボルト１６の頭部を係入自在なボルト挿通部１７を設置物支持部材９に設け、蓋部材１３の天面を、ボルト挿通部１７の下側でそのボルト挿通部１７を通して侵入する雨水を受けて蓋部材１３の横外方に排出する雨水誘導ガイド部に形成してある。
【００１７】
図２、図６に示すように、前記第１周壁部１８に設ける第１連結部２０は、第１周壁部１８にチャンネル材２５を溶接一体化し、そのチャンネル材２５にボルト挿通孔１５を複数個形成して凹部内にナットＮを内装して構成してある。
前記第２周壁部１９に設ける第１連結部２０は、第１周壁部１８に設けた第１連結部２０夫々に対応した位置に、複数のボルト挿通孔１５を設けてあるだけである。従って、連結ボルトを第１連結部２０のボルト挿通孔１５に挿通させて、チャンネル材２５のナットＮに螺合させることで、下地側支持部材５に蓋部材１３を、連結一体化が可能になるように構成してある。
【００１８】
第２連結部２１を上下方向の長孔２６にして、設置物支持部材９の第３周壁部２７に形成し、設置物支持部材９を下地側支持部材５に対して上下位置変更自在に連結する上下位置変更機構に形成してある。
尚、第１連結部２０と第２連結部２１とは、図２、図６に示すように、連結ボルトとナットＮとで共締めして、下地側支持部材５に蓋部材１３と設置物支持部材９とが同時に連結固定されるように構成してある
【００１９】
前記設置物支持部材９を、ボルト挿通部１７を備えた設置物連結部材９Ａと第３周壁部２７に第２連結部２１を備えた支持連結部材９Ｂとに分割構成すると共に、設置物連結部材９Ａと支持連結部材９Ｂとを互いに連結自在にする第３連結部２８を設け、設置物連結部材９Ａを支持連結部材９Ｂに対して横方向に変位自在にする横変位機構を第３連結部２８に設けてある。つまり、第３連結部２８は、第３周壁部２７の上部に形成した横方向に長い横長孔３１と、設置物連結部材９Ａの第４周壁部３２に形成した丸孔３３から形成し、その横長孔３１と丸孔３３に同時に連結ボルトを挿通させて締め付けることで、横変位機構を構成してある。
【００２０】
図２〜図６に示すように、前記設置物連結部材９Ａの天面に形成したボルト挿通部１７は、ボルト頭を挿通自在な大径孔部１７Ａと、ボルトの軸部より少し大きい幅でボルト頭を抜け止めする長孔状の係止孔部１７Ｂとが一連に形成され、設置物連結部材９Ａの天面の裏側に、ボルト頭を回り止めする樋状の係止部材３４を溶接により一体的に取り付けてある。つまり、ボルト頭を大径孔部１７Ａに上方から挿通させた後に、係止孔部１７Ｂの長手方向に移動させることで、ボルトは抜け止めされ、しかも、ボルト頭は、係止部材３４により回り止めされるように構成してある。
また、前記樋状の係止部材３４は、設置物連結部材９Ａの天面の裏側に一体に溶接してあることにより、天面におけるボルト挿通部１７周辺部の補強の役目を担い、ボルト挿通部１７に係止した連結用ボルト１６に、引抜力が働いた時に、天面が変形しながらボルト挿通部１７の係止孔部１７Ｂの幅が拡大して連結用ボルト１７が抜けてしまうのを防止できる。
【００２１】
〔別実施形態〕
以下に他の実施の形態を説明する。
〈１〉  前記設置物３は、実施形態のように、アンテナの支柱以外に、太陽電池パネルの支持フレームであったり、その他の装置であっても良い。
〈２〉  設置物支持部材９は、設置物連結部材９Ａと支持連結部材９Ｂとに分割構成してある場合以外に、それらが一体形成してあるものであっても良い。
〈３〉  前記設置物支持部材９の天面に設けたボルト挿通部１７は、長孔状以外に、スリット状であっても良く、また、連結用ボルト１６の取り付け位置の調整が不要であるならば、単にボルト頭が係止する大きさの丸孔形状であっても良い。
〈４〉  第１連結部２０と第２連結部２１とは、連結用ボルト１６とナットＮとで共締めして、下地側支持部材５に蓋部材１３と設置物支持部材９とが同時に連結固定されるように構成したが、第２周壁部１９に対し第１連結部２０とは異なる位置に、第２連結部２１が位置して、別々の連結用ボルト１６とナットＮで個別に連結するように形成しても良い。この場合、設置物支持部材９に設ける第２連結部２１を、丸孔にすると共に、第２周壁部１９に設ける第２連結部２１を上下長孔に形成して、上下変更機構を構成するようにすることも考えられる。
〈５〉  前記下地側支持部材５は、第１連結部２０を構成するのに、図７に示すように、第１周壁部１８の上端縁部に、金属製の帯状の補強帯板３５を全周にわたって一体に溶接し、その補強帯板３５にナットＮを溶接により取り付けて第１連結部２０を構成してあっても良い。また、図８（ａ）、（ｂ）に示すように、ナットＮを上方から嵌入することで回り止めして収容するナット収納箱部材３６を溶接着けしてあっても良い。この場合、ナット収納箱部材３６は、板金製で金属板を折り曲げて形成し、底板部３６Ａを第１周壁部１８より遠ざかるほど低くなるように傾斜させると共に、下部コーナー部に隙間３７を形成し（図８（ａ））、上方のナット出入用開口部より例え雨水が浸入したとしても、その隙間３７から外方へ排出されるように構成してある。また、ナット収納箱部材３６内にナットＮを挿入させると、傾斜した底板部３６Ａに受けられたナットＮは、ボルト挿通孔２０Ａに近接する（図８（ａ））ように案内される。しかし、この状態では、ボルト挿通孔２０Ａの中心軸心と、ナットＮの中心軸心は合わず、ボルト挿通孔２０Ａから連結ボルト２３によって、ナットＮが第１周壁部１８に近接するように押し込まれることによって、挿入する双方の軸心が一致するように（図８（ｃ））設定してある。
〈６〉  前記ボルト挿通部１７を長孔に形成すると共に、その長孔の長手方向を変更自在にする長孔方向変更機構を、設置物支持部材９に設けるために、図９〜図１１に示すように、下地側支持部材５、蓋部材１３、設置物支持部材９のすべてを、上下に軸心を沿わせた円筒形状にして、上下軸心周りに回転自在に形成しても良い。つまり、第１周壁部１８、第２周壁部１９、第３周壁部２７、第４周壁部３２を円筒形状に形成して、図１１（ａ）、（ｂ）、（ｃ）のように、支持連結部材９Ｂに対して設置物連結部材９Ａを３６０度相対回転させてボルト挿通部１７の長手方向を変更することで、連結用ボルト１６の取り付け位置を横方向の２次元方向に変位して自在に調整できるように構成してある。尚、横変位機構の横長孔３１は、上下に２段に併設して、上記相対回転させて連結ボルトを挿通させる際に、使い分けできるように構成してある。
〈７〉  前記係止部材３４は、図１２に示すように、連結用ボルト１６の頭の回り止めを行うのに、内側にボルト頭に接当する棒状部材を溶接により一体取付してあっても良い。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２２】
２      取付下地
３      設置物
４      開口部
５      下地側支持部材
９      設置物支持部材
９Ａ    設置物連結部材
９Ｂ    支持連結部材
１２    固定部
１３    蓋部材
１６    連結用ボルト
１７    ボルト挿通部
１８    第１周壁部
１９    第２周壁部
２０    第１連結部
２１    第２連結部
２８    第３連結部